(57)【要約】      （修正有）【課題】壁面に対して、収納ボックスや引き出しケース等の縦方向に比較的長い家具を固定することができる家具取付構造を提供する。【解決手段】壁面Ｗに目地部材１を水平方向に配置し、目地部材１の上下にパネル２を取付けると共に、目地部材１に家具４を取付ける取付部材３を係脱可能に取付け、取付部材３は家具４を取付ける垂直面部３１と垂直面部３１からＬ字状に張り出しその側端に鉤状の引掛部３３が設けられた水平面部３２とからなり、目地部材１は取付部材３の水平面部３２が挿入される挿入溝１３が目地方向に沿って形成されると共に、挿入溝１３を横断する複数の掛止部１４が適宜間隔を開けて設けられ、目地部材１の挿入溝１３に取付部材３の水平面部３２が挿入され、水平面部３２の引掛部３３が挿入溝１３の掛止部１４に引っ掛けられるように家具取付構造を構成する。【選択図】図６
2007296065.tif 000002
【特許請求の範囲】
【請求項１】
壁面に目地部材を水平方向に配置し、該目地部材の上下にパネルを取付けると共に、前記目地部材に家具を取付ける取付部材を係脱可能に取付け、前記取付部材は家具を取付ける垂直面部と該垂直面部からＬ字状に張り出しその側端に鉤状の引掛部が設けられた水平面部とからなり、目地部材は取付部材の水平面部が挿入される挿入溝が目地方向に沿って形成されると共に、前記挿入溝を横断する複数の掛止部が適宜間隔を開けて設けられ、目地部材の挿入溝に取付部材の水平面部が挿入され、水平面部の引掛部が挿入溝の掛止部に引っ掛けられたことを特徴とする家具取付構造。
【請求項２】
目地部材を少なくとも上下に二個並設すると共に、各目地部材に取付けられた取付部材の垂直面部に家具の上下部がそれぞれ取付けられたことを特徴とする請求項１に記載の家具取付構造。
【請求項３】
取付部材の端部に、該取付部材が掛止部から離脱する方向に移動するのを阻止するストッパーが他の掛止部に回動可能に取付けられ、前記ストッパーを回動させることにより、取付部材の端部とストッパーとの間に、取付部材が掛止部から離脱する移動空間を形成するようにしたことを特徴とする請求項１又は２に記載の家具取付構造。
【発明の詳細な説明】
【技術分野】
【０００１】
本発明は、壁面に対して、収納ボックスや引き出しケース等の家具を取付ける際、その取付位置を適宜設定することができる家具取付構造に関するものである。
【背景技術】
【０００２】
従来、棚やフック、収納ボックス等の家具あるいは吊り下げ具等を壁面等に取付けるために、様々なものが提案されている。
【０００３】
例えば、縦方向に凹凸が交互に形成された凹凸部材を設け、該凹凸部材の凹溝内の側壁部に掛止孔が所定の間隔で相対向して設けられた物品掛止板に対して、基端の側面に相対する突起が設けられた係止体を前記凹溝に挿入し、前記掛止孔に該突起を掛入させて掛止体を強固に取付け、且つ掛止孔が前方から見えず美観を呈する物品掛止板が提案されている。（例えば、特許文献１参照。）。
【０００４】
又、壁面に上下方向に並設されるボード材と、ボード材の間に形成され断面が下向きの円弧状でその下縁端に挿入口が形成された挿入溝部とからなり、前記ボード材に取付自在な取付具と、該取付具の前記挿入溝部に挿入する円弧状の挿入係止部と、該挿入係止部の下面側に位置し且つ家具用部品を取付自在にとした支持部が形成された部品取付部とを有する家具部品用装着具とからなり、家具用部品の着脱が容易で、その取付位置を適宜変更できる家具用部品装着構造が提案されている（例えば、特許文献２参照。）。
【０００５】
【特許文献１】実開平７−１８７０号公報
【特許文献１】実用新案３０７８６９２号公報
【発明の開示】
【発明が解決しようとする課題】
【０００６】
しかしながら、特許文献１に記載のような従来の物品掛止板では、掛止体に吊持用のフックや、掛止体の間に棚板等を渡して、その棚板に物品を載置することには適しているが、収納ボックスや引き出しケース等、棚板等と比べて比較的縦方向に厚みのある家具は固定しにくく、その点が問題であった。
【０００７】
又、特許文献２に記載のような従来の家具用部品装着構造では、棚板材等の縦方向に対して比較的薄い家具部品を装着するのには適しているが、この家具部品を底部から支える構造であるため、収納ボックスや引き出しケース等、棚板等と比べて比較的縦方向に厚みのある家具を装着する場合には、これら家具の上部を支えることが難しいため、安定的に装着できない恐れがあり、その点が問題であった。
【０００８】
本発明は、前記の如き問題点を解消し、壁面に対して、収納ボックスや引き出しケース等の縦方向に比較的長い家具を固定することができる家具取付構造を提供せんとするものである。
【課題を解決するための手段】
【０００９】
上記目的を達成するために、本発明は次のような構成としている。
すなわち、この発明に係る家具取付構造は、壁面に目地部材を水平方向に配置し、該目地部材の上下にパネルを取付けると共に、前記目地部材に家具を取付ける取付部材を係脱可能に取付け、前記取付部材は家具を取付ける垂直面部と該垂直面部からＬ字状に張り出しその側端に鉤状の引掛部が設けられた水平面部とからなり、目地部材は取付部材の水平面部が挿入される挿入溝が目地方向に沿って形成されると共に、前記挿入溝を横断する複数の掛止部が適宜間隔を開けて設けられ、目地部材の挿入溝に取付部材の水平面部が挿入され、水平面部の引掛部が挿入溝の掛止部に引っ掛けられたことを特徴とするものである。
【発明の効果】
【００１０】
本発明によれば、取付部材は、家具を取付けるための垂直面部によって、収納ボックスや引き出しケース等の縦方向に比較的長い家具に対しても、安定的に取付けられる位置を適宜設定して取付けることができ、且つ、目地部材を介して壁面への取付位置を適宜設定できるため、家具を壁面に取付ける際、その取付位置を適宜設定し、且つ、安定的に取付けることができる。
【００１１】
本発明に係る家具取付構造において、目地部材を少なくとも上下に二個並設すると共に、各目地部材に取付けられた取付部材の垂直面部に家具の上下部がそれぞれ取付けられるようになされれば、家具に対して、上下方向に力が加わっても、前記の取付部材によって、不用意に位置ずれしたり、縦振れしたりすることはなく、家具を壁面に対してより安定的に取付けることができる。
【００１２】
又、本発明に係る家具取付構造において、取付部材の端部に、該取付部材が掛止部から離脱する方向に移動するのを阻止するストッパーが他の掛止部に回動可能に取付けられ、前記ストッパーを回動させることにより、取付部材の端部とストッパーとの間に、取付部材が掛止部から離脱する移動空間を形成するようになされれば、取付部材を介して家具を壁面に取付けた際、ストッパーは、取付部材が掛止部から離脱する方向に移動するのを阻止するため、家具は水平方向にも不用意に位置ずれがより起こりにくくなる。又、ストッパーを不用意に操作しなければ、取付部材は掛止部から離脱しないので、家具を壁面に対して長期間に亘って安定に取付けることができる。
【発明を実施するための最良の形態】
【００１３】
次に、本発明を実施するための最良の形態について図面を参照し、具体的に説明する。
【００１４】
すなわち、図１は本発明に係る家具取付構造の実施の一形態を斜視図である。壁面Ｗに目地部材１が水平方向に配置され、この目地部材１の上下にパネル２を取付け、更に、目地部材１に取付けられた取付部材３を介して家具４が取付けられている。
【００１５】
図２は、目地部材１の取付構造を示す斜視図である。目地部材１は、壁面Ｗの水平方向にビス止めされた配置されると共に、その表面の上下部にパネル１が取付けられるパネル取付部１１が設けられている。
【００１６】
続いて、パネル２は、パネル２の剛性を保持する板材に、化粧用の表面装飾が施されたものであって、板材は、一般には、アルミニウム、ステンレス鋼等の金属板、ポリエチレン、ポリプロピレン等の合成樹脂板、木材や主に木材片からなる集積材、或いはこれら金属板、樹脂板等を組み合わせたものから形成されたものである。尚、前記板材は平板状に形成されたものでもよく、外周部のみに板材を配置した枠形状のものでもよい。又、板材が枠形状の場合は、その内部に吸音材や遮音材等を配置して、パネル１に吸音性や遮音性が向上するようになされたものでもよい。
【００１７】
パネル２の表面装飾は、前記板材の表面に塗装が施されたものでもよく、シートやフィルムが取付けられたものでもよく、装飾を施さず板材の表面を表面装飾としてそのまま用いたものでもよく、パネル１が取付けられる部屋や空間の装飾性に合わせて適宜選択することができる。
【００１８】
図３は、目地部材１、パネル２、及び取付部材３の取付構造を示す断面図である。まず、目地部材１とパネル２との取付構造について説明すると、目地部材１の上下のパネル取付部１１には、目地方向に向かって相対向する係止壁１２がそれぞれされている。又、パネル２の裏面には、２個の係止壁１２の間に挿入され、係止壁１２の内壁面をそれぞれ押圧して係合する係合片２１を備えた断面コ字状の係合部２２が上下に取付けられている。従って、上下２個の目地部材１の間にパネル２を配置し、パネル２の上下の係合片２１を目地部材１の掛止壁１２に間にそれぞれ係合させることにより、パネル２が取付けられる。これにより、パネル２の取付作業が容易となり、且つパネル２を目地部材１の間に強固に固定することができる。
【００１９】
尚、目地部材１とパネル２との取付方法は、本形態に限られるものではない。接着剤やビス、釘等の取付具を用いたものでもよく、これらを併用したものでもよい。又、パネル１の最上部又は最下部に位置する目地部材１は、パネル取付部１１が下方又は上方のみに設けられたものでもよい。
【００２０】
図４は、取付部材３の取付方法を示す斜視図である。目地部材１の表面には、挿入溝１３が目地方向に向かって形成されている。又、取付部材３は、家具４を取付ける垂直面部３１と、この垂直面部３１からＬ字状に張り出し水平面部３２とからなり、この水平面部３２が取付部材１の挿入溝１３に挿入されて、目地部材１に取付部材３が取付けられる。
【００２１】
図５は、図１において、取付部材３の取付構造を示す横断面図である。目地部材１の挿入溝１３には、挿入溝１３を横断する複数の円筒状の掛止部１４が適宜間隔を開けて設けられている。又、取付部材３の水平面部３２には、その側端に複数の鉤状の引掛部３３が適宜間隔を開けて設けられ、この引掛部３３が挿入溝１３の係止部１４に掛入されて、目地部材１に取付部材３が取付けられている。
【００２２】
引掛部３３は、水平面部３２の端部から内側に向けて狭まるような略三角形状に切り欠かれると共に、その奥部は、取付部材３の長手方向に向かってこの切り欠きが延設されてなるガイド部３４が形成され鉤状となされている。これにより、挿入溝１３の掛止部１４が、このガイド部３４を通ってその奥部まで挿入されると、水平面部３２の引掛部３３が挿入溝１３の掛止部１４に引っ掛けられ、取付部材３は目地部材１の挿入溝１３の開口方向から容易には抜け出さないようになる。
【００２３】
引掛部３３は、水平面部３２の側面の全面に亘って形成されると掛止箇所が最も多くなり、従って、取付部材３が目地部材１に対して最も強固に固定されることになるが、取付部材３が目地部材１に対して充分に固定される範囲で、図４に示すように、引掛部３３が部分的に切除され、引掛部３３が水平面部３２の側面に不連続に形成された形態でもよい。
【００２４】
目地部材１及び取付部材３は、一般的にはアルミニウムや合成樹脂を押出成型して得られる長尺の型材を適宜長さに切断した部材からなるものであるが、アルミニウム以外の金属、例えば、鋼材、ステンレス鋼でもよく、目地部材１及び取付部材３の長さや必要な強度に応じて、適宜使用できる。
【００２５】
図６は、取付部材３の固定方法の説明図である。取付部材３において、引掛部３３のガイド部３４が延設された方向の端部には、ストッパー５が取付けられている。ストッパー５は、略矩形となされ、挿入溝１３の掛止部１４に回動可能に掛止される回動掛止部５１が、一側面から内側に向かって切除されて形成されている。
【００２６】
図６の（ａ）に示すように、ストッパー５の挿入溝１３の開口方向と、係止部５１との開口方向が一致するように、ストッパー５を挿入溝１３に挿入して、掛止部１４に掛止した際は、ストッパー５と取付部材３との間には、引掛部３３のガイド部３４が掛止部１４から離脱する移動空間が形成されている。そして、図６の（ｂ）に示すように、掛止部１４を軸として、ストッパー５を回動させると、ストッパー５の当接面５２が、取付部材３の端面３５に当接されるようになされている。これにより、取付部材３は、水平方向の移動が阻止され、目地部材１に対して強固に固定される。
【００２７】
ストッパー５は、本形態では、ポリプロピレンを成型加工して得られたものであり、取付部材３の端面３５に当接させる際に必要となる強度と弾性を有しており好ましいが、ポリプポピレン以外の合成樹脂、例えば、ポリエチレン、ポリエステル、ポリカーボネート、ポリアミド、ＡＢＳ樹脂、ＡＡＳ樹脂等、必要な強度と弾性に応じて、適宜使用することができる。
【００２８】
図７は、家具４の取付構造を示す斜視図である。家具４は、天板４１と天板の両側面から下方に向かって取付けられた相対する側板４２と、この２個の側板４２の下端部とそれぞれに取付けられた底板４３とを備え、家具４の前面には、開閉可能に扉４４が取付けられ、その背面には背面板４５が取付けられ、家具４の内部に物品が収納できるようになされている。
【００２９】
家具４を構成する天板４１、側板４２、底板４３、扉４４、及び背面板４５は、一般には、一般には、アルミニウム、ステンレス鋼等の金属板、ポリエチレン、ポリプロピレン、アクリル樹脂、ポリカーボネート等の合成樹脂板、木材や主に木材片からなる集積材、或いはこれら金属板、樹脂板等を組み合わせたものから形成されたものである。又、家具４の内部が見えるように透明材料を一部あるいは全部に用いてもよい。
【００３０】
次に、家具４の取付構造について説明する。家具４の背面板４５には複数のビス孔４６が水平方向に適宜間隔をあけて設けられている。又、取付部材３の垂直面部３１には、図５の（ｂ）に示すように、複数のビス孔３６が上記ビス孔４６と同間隔をあけて設けられ、垂直面部３１のビス孔３６と、背面板４５のビス孔４６とに取付ビス６が螺入され、取付部材３が家具４に取付けられる。
【００３１】
尚、一個の家具４に対して、取付部材３は、水平方向に一個取付けてもよく、二個以上の複数個に分割した形態で取付けてもよい。
【００３２】
背面板４５の上下部には、上下に並設された目地部材１にそれぞれ取付けられた取付部材３の垂直面部３１が、取付ビス６を介して取付けられている。これにより、家具４は、上下２箇所で取付けられた状態となるため、垂直方向に対して、跳ね上げられたり、位置ずれしたりするおそれが少なくなる。尚、家具４が縦方向により長い場合は、背面板４５の上下方向において、必要に応じて３箇所以上の取付部材３を取付けた形態でもよい。
【００３３】
前記の上下に配置された取付部材３は、引掛部３３のガイド部３４の延設方向が同じあるが、この延設方向が相反するように取付部材３をそれぞれ配置した場合は、取付部材３は、互いに水平方向への移動を阻止するので、家具４は、水平方向に対して位置ずれしにくくなる。
【００３４】
又、前記の上下に配置された取付部材３は、垂直面部３１の側端部が相対向するように配置されている。これにより、上方の取付部材３の垂直面部３１は、家具４の自重により、背面板４５から離れる方向に力が働いた時に、下方の取付部材３の垂直面部３２は、背面板４５に向かう方向に力が働くため、家具４は取付部材３から外れ難くなる。つまり、本形態は、垂直面部３１の側端部が同方向に配置された場合に比べて、家具４をより強固に固定することができる。
【００３５】
背面板４５は、本形態では、家具４の背面からやや内側に取付けられているため、天板４１の背面側の内壁面が家具４の外部に露出している。これによって、取付部材３を背面板４５に取付ける際、垂直面部３１が背面板４５に取付けられると共に、水平面部３２の上面で天板４１の露出した前記内壁面に当接させることができる。つまり、家具４は、背面板４５を介して取付部材３の垂直面部３１に取付けられると共に、天板４１を介して、取付部材３の水平面部３２に支えられることになるので、取付部材３に対して強固に固定される。
【００３６】
又、背面板４５の横幅は取付部材３より長く、家具４を取付部材３に取付けた際、取付部材３の垂直面部３１及びストッパー５が家具によって覆われるようになされている。これにより、家具４の前面側からは、取付部材３及びストッパー５が見えず、美観を損なうことがなく、又、不用意にストッパー５が操作されて、ストッパー５が取付部材３の端面３５から離脱して、取付部材３が水平方向に位置ずれすることは起きにくくなる。
【００３７】
取付ビス６は、家具４の内側から取付部材３に向かって螺入するものであるため、本形態のように、先に取付部材３を目地部材１に取付けて、後から家具４を取付部材３に取付けることができ、又、先に家具４を取付部材３に取付けて、後から取付部材３を目地部材１に取付けることができる。尚、家具４と取付部材３との取付構造は、本形態に限られるものではなく、接着剤等を用いて取付けてもよい。
【００３８】
家具４は、本形態では扉付きの収納ボックスの形態であるが、扉のない収納ボックスでもよく、又、引き出し可能な収納ケースが設けられたものでもよく、あるいは、上下方向に収納スペースを有するマガジンラック等でもよい。
【図面の簡単な説明】
【００３９】
【図１】本発明に係る家具取付構造の実施の一形態を示す斜視図である。
【図２】図１の目地部材の取付構造を示す斜視図である。
【図３】図１の主要部の縦断面図である。
【図４】取付部材の説明図である。
【図５】図１の主要部の横断面図である。
【図６】ストッパーの取付構造を示す横断面図である。
【図７】図１の主要部の取付構造を示す斜視図である。
【符号の説明】
【００４０】
１    目地部材
２    パネル
３    取付部材
４    家具
５    ストッパー
６    取付ビス
１１  パネル取付部
１２  掛止壁
１３  挿入溝
１４  掛止部
３１  垂直面部
３２  水平面部
３３  引掛部
３４  ガイド部
３５  端面
３６  ビス孔
４１  天板
４４  扉
４５  背面板
４６  ビス孔
Ｗ    壁面
【図１】
2007296065.tif 000003
【図２】
2007296065.tif 000004
【図３】
2007296065.tif 000005
【図４】
2007296065.tif 000006
【図５】
2007296065.tif 000007
【図６】
2007296065.tif 000008
【図７】
2007296065.tif 000009